(57)【特許請求の範囲】
【請求項１】
通気性を有する表面シートと、裏面シートとの間に、消臭機能を有する消臭体を配置して消臭シート本体を形成し、この消臭シート本体に、ショーツの外面に止着するための止着手段を消臭シート本体の表面シート側に設ける事により、消臭シート本体をショーツの外面に止着可能とした事を特徴とする消臭シート。
【発明の詳細な説明】
【０００１】
【産業上の利用分野】
本発明は、汗、生理、おりもの等による体臭や体液臭を消臭するため、ショーツ、その他の下着に装着する消臭シートに係るものである。
【０００２】
【従来の技術】
従来、生理用ナプキンやおりもの用シート等の吸収性物品に、消臭剤を混入する等の手段により消臭機能を付与し、体臭や体液の排出等により発生する不快な臭いを吸収しようとするものが存在する。しかし、これらの従来品は、体液吸収が主な目的であって、消臭は付加的な機能である。そのため、体液が大量に排出された場合等は、消臭効果が追いつかなかったり、体液吸収により消臭機能が阻害される等、十分な消臭効果を得る事は困難となっていた。
【０００３】
【発明が解決しようとする課題】
本発明は上述の如き課題を解決しようとするものであって、消臭機能のみを目的とした消臭シートを形成し、これを下着に装着する事により、汗や体液の放出、またムレ等で発生する不快な臭いを、効果的に消臭しようとするものである。
【０００４】
【課題を解決するための手段】
本発明は上述の如き課題を解決するため、通気性を有する表面シートと、裏面シートとの間に、消臭機能を有する消臭体を配置して消臭シート本体を形成し、この消臭シート本体に、ショーツの外面に止着するための止着手段を消臭シート本体の表面シート側に設ける事により、消臭シート本体をショーツの外面に止着可能として成るものである。
【０００５】
【作用】
本発明は上述の如く形成したものであるから、消臭シートをショーツ等の下着の外面に止着して使用する際は、表面シートをショーツの外面に臨ませて配置し、ホットメルト等の止着手段により、消臭シートをショーツの外面に止着固定する。すると、汗や体液の排出等で、肌側から発せられる不快な臭いは、ショーツを通過して消臭シート側に移動する。この消臭シートの表面シートは、通気性を持つから、臭いの粒子は、この表面シートを通過して、内側に配置した消臭機能を有する消臭体に達し、この消臭体に確実に吸収される。また、生理時等は、ショーツの内側に生理用ナプキンを配置すれば、体液はこの生理用ナプキンにより、良好に吸収されるとともに、体液臭は、ショーツの外側に配置した消臭シートにより確実に消臭される。そして、これらは互いの機能を阻害する事はなく、消臭シートは良好な消臭機能を持続できる。
【０００６】
また、消臭シートをショーツの内面に装着するには、裏面シートをショーツの内面に臨ませながら、消臭シートをショーツ内に挿入し、ホットメルト等の止着手段により、消臭シートをショーツの内面に止着固定する。この場合も、人体から発生する不快な臭いは、通気性を有する表面シートを通過した後、消臭体に確実に吸収される。また、この場合も、生理時は消臭シートと肌との間に、生理用ナプキンを配置する事により、体液吸収が行われるとともに、消臭シートにより、体液臭を良好に消臭する事ができる。
【０００７】
このように、消臭シートをショーツの外面または内面の何れに止着しても、消臭体で良好に消臭を行うので、外部に不快な臭いが漏れる事がなく、使用者に安心感を与えるものとなる。また、消臭シートは、消臭機能のみを目的とし、吸収性物品とは別個に形成しているので、体液等で消臭機能を妨げられる事はなく、強力な消臭効果を持続する事ができる。
【０００８】
また、止着手段は、消臭シート本体の表面シート側に設ける事により、消臭シートをショーツの外面に止着する事ができる。また、止着手段は、消臭シート本体の裏面シート側に設ける事により、消臭シートをショーツの内面に止着することができる。そして、上述の如き止着手段を、表面シートまたは裏面シートにホットメルトを塗布したり、ベロクロスファスナーを止着する等の方法で行えば、消臭シートの止着を簡単に安定良く行えるとともに、廉価な製品を得る事ができる。
【０００９】
但し、消臭シート本体の表面シート側にホットメルトを塗布する場合は、表面シートの通気性を悪くする可能性があるため、消臭体の外周のみに塗布したり、細い線状に塗布する等の方法で、表面シートの通気性を妨げないようにする。また、ベロクロスファスナーを使用する場合も同様に、表面シートの通気性を妨げないよう考慮する。
【００１０】
また、止着手段を裏面シートに設ける場合は、裏面シート側に上述の如き止着手段を設ける。この裏面シートは、表面シートの如く通気性を重視する必要がないので、ホットメルトを裏面シートの全面に塗布する事もでき、ショーツへの止着安定性に優れたものとなる。
【００１１】
また、消臭シート本体の両側に、一対または複数対のウイングを突出し、このウイングにホットメルトを塗布したり、ベロクロスファスナーを取り付けて止着手段を形成しても良い。このウイングにより、消臭シートをショーツに固定するので、消臭シートのズレを防止して、装着性を向上させる事ができる。そして、消臭シートをショーツ外面に止着する場合は、ウイングを設ける事により、ショーツからの消臭シートの落下を良好に防止可能となる。
【００１２】
また、止着手段は、消臭シート本体の一側に接続するとともに消臭シート本体と同型に形成した被覆体に設けても良い。この被覆体は、ショーツへの消臭シート本体の止着時に、消臭シート本体との接続部分で折返し、ショーツをこの被覆体と消臭シート本体とで挟み込み可能に形成する。また、このような消臭シートは、被覆体の材料費はかかるが、消臭シートのヨレやズレを良好に防止でき、止着安定性を更に向上させる事ができる。
【００１３】
【実施例】
以下、本発明の一実施例を図面に於て説明すれば、(１)は表面シートで、不織布にて形成する事により、通気性に優れたものとしている。また、この表面シート(１)の裏面側には、同じく不織布で形成した裏面シート(２)を配置している。また、表面シート(１)と裏面シート(２)との間に、これらよりも幅狭に形成した消臭機能を有する消臭体(３)を収納する事により、消臭シート本体(４)を形成している。また、消臭体(３)は、活性炭、ゼオライト等の多孔性物質から成る消臭剤、または銀、銅、亜鉛等の金属イオンを有する消臭剤、またはこれらの金属イオンの混合物から成る消臭剤を、板状、顆粒状等の状態としたものを用いて形成している。また、消臭体(３)は、前記の消臭剤をパルプ中に分散させる事により形成しても良く、取り扱いが便利で、消臭シート本体(４)の製造を容易にする事ができる。
【００１４】
そして、表面シート(１)には、消臭体(３)の外周にホットメルトを塗布する事により、図２に示す如く、ショーツ(５)への止着部(６)を形成している。また、この止着部(６)は、製造時に離型紙(図示せず)を張り付けて、保護している。
【００１５】
上述の如き消臭シート(１０)を使用するには、まず、止着部(６)を被覆する離型紙を剥離する。次に、図３に示す如く、表面シート(１)側を、ショーツ(５)の外側部(７)に臨ませて消臭シート本体(４)を配置する。そして、表面シート(１)の表面に設けた止着部(６)の接着力により、図２及び図３の二点鎖線で示す如く、ショーツ(５)の外側部(７)に消臭シート本体(４)を止着固定する。このように消臭シート本体(４)をショーツ(５)の外側部(７)に止着すると、使用者はショーツ(５)を着用したままで、消臭シート(１０)の止着や取り外しを行う事が可能となる。
【００１６】
そして、ショーツ(５)の肌当接部(８)には、使用者の肌が直接に接触しているが、日常的な汗や体液は、このショーツ(５)に吸収されるので、ショーツ(５)の外面に配置した消臭シート(１０)は、消臭機能を阻害するような汗や体液等と接触しにくいものとなる。そのため、消臭シート(１０)の消臭機能を良好に働かせる事ができ、機能性に優れた製品を得る事ができる。そして、使用者の肌側から発生する、体臭、体液臭等の臭いの粒子は、ショーツ(５)の繊維を通過して表面シート(１)側に移動する。この表面シート(１)は、通気性を有する不織布で形成しているから、臭いの粒子は表面シート(１)を通過して、内側の消臭体(３)に確実に吸収され、消臭機能が効果的に働くものとなる。
【００１７】
また、ショーツ(５)の肌当接部(８)に、おりものシートや生理用ナプキン等の吸収性物品を配置する事も可能となる。そして、これら吸収性物品と消臭シート(１０)とは、別個に形成しているとともにショーツ(５)の異なる側にそれぞれ配置しているので、互いの機能を阻害する事はない。そして、おりものや経血等は吸収性物品により良好に吸収されて、消臭シート(１０)側にしみ出す事がないので、消臭シート(１０)の消臭機能を損なう事はない。そして、このショーツ(５)の外面に配置した消臭シート(１０)により、体液臭が良好に吸収されるので、外部に不快な臭いが発生するのを防止する事ができる。
【００１８】
また、上記第１実施例の如く消臭シート(１０)を、ショーツ(５)の外側部(７)に止着した場合、使用者が活発に活動すると、ショーツ(５)から消臭シート(１０)が落下したり、ズレやヨレを生じる虞れがある。そのため、他の異なる第２実施例では、図３〜図５に示す如く、消臭シート本体(４)の両側に、一対のウイング(１１)を突設し、このウイング(１１)をショーツ(５)に止着する事により、装着時の安定性を高めようとしている。このウイング(１１)付きの消臭シート(１０)は、図５に示す如く、表面シート(１)を、通気孔(１２)を有するポリエチレンフィルムで形成するとともに、裏面シート(２)を不織布で形成し、これらの間に、消臭機能を有する消臭体(３)を配置して形成する。
【００１９】
また、消臭体(３)の外周に於いて、表面シート(１)にホットメルトを塗布する事により、消臭シート本体(４)に、ショーツ(５)の外側部(７)への止着部(６)を設けている。そして、表面シート(１)は、ポリエチレンフィルム製であるので、止着部(６)を止着したり取り外したりする際に、破れにくく耐久性に優れたものであるとともに、ショーツ(５)への装着時に、ヨレを生じにくい適度な形状保持性を持つ消臭シート(１０)を形成する事ができる。また、表面シート(１)は、多数の通気孔(１２)を設けているので、ポリエチレンフィルム製であっても通気性にも優れたものとなる。
【００２０】
そして、消臭シート本体(４)の両側に於いて、表面シート(１)と裏面シート(２)とを外方に突出する事により、先述の如き一対のウイング(１１)を形成している。このウイング(１１)は、ショーツ(５)への止着側に、ホットメルトを塗布してウイング止着部(１３)を設けている。このウイング止着部(１３)も、ポリエチレンフィルム製の表面シート(１)側に設けているので、止着や取り外しが容易となる。また、このウイング止着部(１３)及び消臭シート本体(４)の止着部(６)は、離型紙等で保護しておく。また、ウイング(１１)は、表面シート(１)または裏面シート(２)の何れか一方のみを外方に突出して形成しても良いし、消臭シート本体(４)とは別部材で形成したウイング(１１)を、消臭シート本体(４)の両側に取り付けるものであっても良い。
【００２１】
上述の如き消臭シート(１０)を、ショーツ(５)の外側部(７)に止着するには、消臭シート本体(４)の止着部(６)、及びウイング(１１)のウイング止着部(１３)の離型紙を剥離する。そして、ショーツ(５)を脱いだ状態で、表面シート(１)をショーツ(５)の外側部(７)に臨ませながら、止着部(６)の接着力で、消臭シート本体(４)を外側部(７)に止着固定する。その後、ウイング(１１)をショーツ(５)の肌当接部(８)方向に折り返して、図５に示す如く、ウイング止着部(１３)をこの肌当接部(８)に止着する事により、ウイング(１１)をショーツ(５)の両側に固定する。そして、使用者がショーツ(５)を装着すれば、このウイング(１３)の止着固定により、消臭シート(１０)の止着安定性が良好なものとなり、使用者が活発に活動しても、落下等の不具合が起こりにくいものとなる。
【００２２】
尚、ウイング(１１)は、ショーツ(５)の肌当接部(８)側に配置されるので、肌と接触して、違和感や刺激を与える可能性があるが、ウイング(１１)の肌接触側は、不織布製の裏面シート(２)を配置しているので、肌への刺激を抑える事ができる。また、本実施例では、ウイング(１１)は通気性を有する素材で形成しているが、ウイング(１１)を幅広に形成して、ショーツ(５)の肌当接部(８)の広い面積をウイング(１１)で被覆すると、通気性を悪くする事があるし、ウイング(１１)に塗布したホットメルトも通気性を悪化させる要因となる。そのため、ウイング(１１)は、幅狭で通気性の良好な素材で形成する等、通気性を妨げない構造とするのが好ましい。
【００２３】
また、上記各実施例では、消臭シート(１０)をショーツ(５)の外側部(７)に止着しているが、消臭シート(１０)をショーツ(５)の肌当接部(８)に止着して使用する事も可能である。そして、第３実施例では、図６〜図８に示す如く、不織布を使用して通気性を持たせた表面シート(１)と、ポリエチレンフィルムを使用して形状保持性を持たせた裏面シート(２)と、これらの間隔に配置した消臭体(３)とで消臭シート本体(４)を形成している。そして、裏面シート(２)の全面に、ホットメルトを塗布する事により、ショーツ(５)への止着部(６)を設けている。この裏面シート(２)は、表面シート(１)ほどには通気性を重視しないので、ホットメルトを全面に塗布して、止着安定性を向上させる事ができるし、ポリエチレンフィルムで形成しているので、止着部(６)の止着や取り外しが容易で耐久性に優れたものとなる。
【００２４】
そして、消臭シート本体(４)の両側には、図６に示す如く、外方向に一対のウイング(１１)を突設している。このウイング(１１)は、内側方向に折り返した際に、各ウイング(１１)の先端が互いに重なるように、横方向に長尺に形成している。そして、この重なり合う先端の、互いに対向する側に、ベロクロスファスナーを取り付ける事により、ウイング止着部(１３)を設けている。
【００２５】
そして、消臭シート(１０)の装着時は、ショーツ(５)を脱いだ状態で、図８に示す如く、上面側からショーツ(５)の肌当接部(８)に裏面シート(２)を臨ませて消臭シート(１０)をショーツ(５)内に挿入し、二点鎖線で示す如く、ショーツ(５)の肌当接部(８)に、止着部(６)を介して消臭シート(１０)を止着配置する。そして、消臭シート本体(４)の両側に設けたウイング(１１)を、ショーツ(５)の外側部(７)方向に折り返して、各ウイング(１１)の先端に設けたベロクロスファスナーを互いに接続してウイング止着部(１３)を止着する事により、ショーツ(５)に消臭シート(１０)を固定する事ができる。
【００２６】
消臭シート(１０)の止着が完了したら、ショーツ(５)を使用者の股部に装着する。すると、使用者の肌に不織布製の表面シート(１)が接触するので、肌触りが良好で、ムレ等を防いで快適な装着が可能となる。そして、使用者から発生した臭いは、通気性の良好な表面シート(１)を通過して、内部の消臭体(３)に確実に吸収されるものとなる。
【００２７】
そして、使用者が活発に活動しても、ショーツ(５)の内側に消臭シート(１０)を配置するとともに、止着部(６)とウイング止着部(１３)により、消臭シート(１０)をショーツ(５)に確実に固定しているので、装着性が良好であるとともに、落下の不具合は起こらないものとなる。
【００２８】
また、上記第２、第３実施例では、消臭シート(１０)に一対のウイング(１１)を設けているが、複数対のウイング(１１)を設けても良い。そして、他の異なる第４実施例では、図９に示す如く、消臭シート本体(４)の両側を、ショーツ(５)の形状に合わせて円弧状に形成するとともに、この消臭シート本体(４)の両側のほぼ全体を外方に突出して、二対の台形状の大きなウイング(１１)を設けている。また、各ウイング(１１)の折返し部に、図９に示す如き楕円状の開口部(１４)や、スリットを設けても良い。すると、円弧状のショーツ(５)の両側に沿ってウイング(１１)を折り返した際に、折返し辺のヨレやたわみを、この開口部(１４)やスリットが吸収するので、しわのないウイング(１１)の止着が可能となり、肌触りを良好なものとする事ができる。このように、二対の大きなウイング(１１)で、消臭シート本体(４)の両側のほぼ全体をショーツ(５)に固定する事ができるので、活動時の消臭シート(１０)のズレを防ぎ、使用者に安心感を与えるとともに、消臭シート(１０)の機能的な使用を持続する事ができる。
【００２９】
また、他の異なる第５実施例では、消臭シート本体(４)の両側に、二対の半円状のウイング(１１)を突設している。すると、第４実施例のウイング(１１)に比べて、ウイング(１１)の面積を減らす事ができる。また、ウイング(１１)を摘み易いものとなるし、ウイング(１１)を折り返した際に、隣り合うウイング(１１)が互いに重なりにくいものとなる。そして、第４実施例と同様に、消臭シート(１０)の止着安定性を向上させて、良好な装着性と消臭効果が得られる。
【００３０】
尚、上記第２乃至第５実施例の如く、消臭シート(１０)にウイング(１１)を設けたものに於いて、消臭シート(１０)をショーツ(５)の肌当接部(８)側に止着する場合は、ウイング(１１)を大きく形成しても、使用者の肌とは接触しないので、肌触りや消臭シート(１０)の通気性を低下させる事はない。しかし、消臭シート(１０)をショーツ(５)の外側部(７)に止着する場合は、肌側にウイング(１１)が配置されるので、ウイング(１１)を通気性の良好な素材で形成したり、幅狭に形成する等の工夫をする必要がある。
【００３１】
また、上記各実施例では、消臭シート本体(４)の表面シート(１)または裏面シート(２)に設けた止着部(６)や、ウイング(１１)に設けたウイング止着部(１３)により、消臭シート(１０)をショーツ(５)に止着しているが、他の異なる第６実施例では、図１１〜図１４に示す如く、ショーツ(５)への止着手段を、消臭シート本体(４)の一側に接続した被覆体(１５)に設けている。この被覆体(１５)は、図１１に示す如く、消臭シート本体(４)と同型に形成し、これらの接続部分で折返す事により、被覆体(１５)と消臭シート本体(４)とでショーツ(５)を挟み込み可能としている。そして、被覆体(１５)は、消臭シート本体(４)との接続側とは反対の一側に、帯状の止着本体(１６)を突設している。
【００３２】
上述の如き消臭シート(１０)は、本実施例に於いて、不織布を二枚積層して表面シート(１)及び裏面シート(２)とし、この積層物を、消臭シート本体(４)、被覆体(１５)及び止着本体(１６)とが連続した形状で切り取って形成している。そして、消臭シート本体(４)側の表面シート(１)と裏面シート(２)との間に、消臭機能を有する消臭体(３)を配置している。また、消臭シート本体(４)と被覆体(１５)の両側を、それぞれ円弧状に形成する事により、円弧状のショーツ(５)の両側へのフィット性を高めている。また、止着本体(１６)は、止着側である表面シート(１)に、ホットメルトを塗布している。
【００３３】
上述の如き消臭シート(１０)をショーツ(５)に装着するには、ショーツ(５)を脱いだ状態で、図１２に示す如く、ショーツ(５)の外側部(７)側に表面シート(１)を臨ませて消臭シート本体(４)を接触配置する。そして、被覆体(１５)を、消臭シート本体(４)との接続部分で、図１３、図１４に示す如く、ショーツ(５)の肌当接部(８)方向に折り返し、この肌当接部(８)に被覆体(１５)を接触配置する。更に、被覆体(１５)の一側に突設した止着本体(１６)を、ショーツ(５)の外側部(７)側に折返し、ホットメルトの接着力により、消臭シート本体(４)の裏面シート(２)に接着する事により、消臭シート(１０)をショーツ(５)に固定できる。このように、ショーツ(５)を消臭シート本体(４)と被覆体(１５)とで挟み込む事により、ショーツ(５)の外側部(７)に消臭シート本体(４)を配置して使用する際の、止着安定性が向上する。そのため、使用者の激しい動きにも、消臭シート(１０)が落下する等の不具合は起こらないし、ズレ等も良好に防ぐので、使用者に安心感を与えるとともに、消臭機能を十分に発揮する事が可能となる。
【００３４】
また、この消臭方法を説明すると、使用者から発生した臭いは、被覆体(１５)に到達する。この被覆体(１５)は、通気性の良好な不織布で形成しているので、臭いの粒子は、この被覆体(１５)を通過した後、ショーツ(５)の外側に流出する。このショーツ(５)の外側部(７)には、消臭シート本体(４)を配置しているので、臭いの粒子はこの消臭シート本体(４)の消臭体(３)に確実に吸収され、外部に不快な臭いが漏れる事はない。また、不織布で形成した被覆体(１５)をショーツ(５)の肌当接部(８)に配置する事により、多少の汗や体液を、この被覆体(１５)で吸収する事ができるので、ショーツ(５)の汚れを防止するとともに、消臭シート(１０)の機能を効果的低下させるような水気を消臭シート本体(４)側に漏らさないものとなる。
【００３５】
また、上記第６実施例では、消臭シート(１０)に、被覆体(１５)に突出した止着本体(１６)により、止着手段を設けているが、他の異なる実施例として、消臭シート本体(４)の表面シート(１)及び／または被覆体(１５)の表面シート(１)にホットメルトを塗布する等の方法で、止着手段を別個に設けても良い。但し、これらの止着手段は、被覆体(１５)や消臭シート本体(４)の通気性を阻害しないように形成する。そして、各止着手段を、各々ショーツ(５)の外側部(７)と肌当接部(８)とに止着すれば、消臭シート(１０)の止着安定性を更に向上させて、使用性を良好なものとする事ができる。
【００３６】
また、上記第６実施例では、消臭シート本体(４)をショーツ(５)の外側部(７)に配置し、被覆体(１５)をショーツ(５)の肌当接部(８)に配置しているが、他の異なる実施例として、消臭シート本体(４)をショーツ(５)の肌当接部(８)側に、被覆体(１５)をショーツ(５)の外側部(７)側に配置する様に消臭シート(１０)を形成しても良い。この場合は、消臭シート本体(４)の裏面シート(２)、及び被覆体(１５)の裏面シート(２)に、通気性を有しないポリエチレンフィルムを使用する事も可能であり、形状保持性を向上させる事ができる。また、この裏面シート(２)に、ホットメルトを多く塗布して止着手段を設ければ、ショーツ(５)への止着安定性が良好なものとなる。
【００３７】
また、表面シート(１)と裏面シート(２)との素材の組み合わせに於いて、他の異なる第７実施例として、図１５に示す如く、表面シート(１)に多数の通気孔(１２)を設けたポリエチレンフィルムを、裏面シート(２)に通気孔(１２)を設けていないポリエチレンフィルムを使用して、消臭シート(１０)を形成しても良い。すると、消臭シート(１０)は適度な形状保持性を有し、ヨレの発生を防止する事ができる。また、表面シート(１)に止着手段を設けて、消臭シート(１０)をショーツ(５)の外側部(７)側に止着しても良いし、裏面シート(２)に止着手段を設けて、消臭シート(１０)をショーツ(５)の肌当接部(８)側に止着しても良い。何れの場合でも、止着手段の止着や取り外しに対する耐久性を良好なものとする事ができる。そして、表面シート(１)を通過した臭いの粒子は、内側に配置した消臭機能を有する消臭体(３)により確実に吸収されて、良好な消臭効果が得られる。
【００３８】
また、他の異なる第８実施例として、図１６に示す如く、表面シート(１)及び裏面シート(２)に、多数の通気孔(１２)を設けたポリエチレンフィルムを使用して、消臭シート(１０)を形成しても良い。この場合も、消臭シート(１０)は、表面シート(１)に止着手段を設けてショーツ(５)の外側部(７)に止着するものであっても良いし、裏面シート(２)に止着手段を設けて、ショーツ(５)の肌当接部(８)に止着するものであっても良い。何れの場合でも、臭いの粒子が表面シート(１)を良好に通過して、内側に配置した消臭機能を有する消臭体(３)に確実に吸収されるとともに、止着安定性やヨレ防止機能に優れた消臭シート(１０)となる。また、表面シート(１)と裏面シート(２)を同一の素材で形成できるので、製作の手間やコストを省く事ができる。
【００３９】
【発明の効果】
本発明は上述の如く構成したものであるから、消臭シートをショーツ等の下着に止着する事により、汗、体液等による不快な臭いを、効率良く消臭する事ができる。また、消臭機能のみを目的として消臭シートを形成し、体液吸収性物品とは別個に形成しているので、消臭シートが体液と接触する事がない。そのため、消臭シートは、消臭機能が阻害される事がなく、良好な消臭効果を持続する事ができる。
【図面の簡単な説明】
【図１】  本発明の第１実施例の消臭シートの平面図。
【図２】  図１の消臭シートを、ショーツに止着した状態の断面図。
【図３】  消臭シートをショーツの外面に止着する過程を示す斜視図。
【図４】  ウイングを設けた第２実施例の消臭シートの平面図。
【図５】  図２の消臭シートを、ショーツに止着した状態の断面図。
【図６】  ショーツの内面に止着する第３実施例の消臭シートの平面図。
【図７】  図６の消臭シートを、ショーツに止着した状態の断面図。
【図８】  消臭シートをショーツの内面に止着する過程を示す斜視図。
【図９】  二対のウイングを設けた第４実施例の消臭シートの平面図。
【図１０】  二対の半円型のウイングを設けた第５実施例の消臭シートの平面図。
【図１１】  被覆体を設けた第６実施例の消臭シートの平面図。
【図１２】  図１１の消臭シートを、ショーツに止着する過程の平面図。
【図１３】  図１１の消臭シートを、ショーツに止着した状態の平面図。
【図１４】  図１３のＡ−Ａ線断面図。
【図１５】  第７実施例の消臭シートの断面図。
【図１６】  第８実施例の消臭シートの断面図。
【符号の説明】
１  表面シート
２  裏面シート
３  消臭体
４  消臭シート本体
５  ショーツ
１１  ウイング
１５  被覆体
【図１】
0003736778.tif 000002
【図２】
0003736778.tif 000003
【図３】
0003736778.tif 000004
【図４】
0003736778.tif 000005
【図５】
0003736778.tif 000006
【図６】
0003736778.tif 000007
【図７】
0003736778.tif 000008
【図８】
0003736778.tif 000009
【図９】
0003736778.tif 000010
【図１０】
0003736778.tif 000011
【図１１】
0003736778.tif 000012
【図１２】
0003736778.tif 000013
【図１３】
0003736778.tif 000014
【図１４】
0003736778.tif 000015
【図１５】
0003736778.tif 000016
【図１６】
0003736778.tif 000017